(57)【要約】【課題】遊技盤の交換に際して表示装置の交換が不要であり、表示装置を交換することなくサイズの異なる表示用開口を有した遊技盤に交換することを可能にする。【解決手段】前面に遊技領域ＰＡが形成された遊技盤２０と、遊技盤を立設保持する前枠２と、発射ハンドル８と、上下球皿６，７と、遊技盤を裏面側から覆って前枠に取り付けられた裏セット盤３０と、遊技盤の表示用開口を通して演出画像を表示させる画像表示装置７５とを備えてパチンコ機ＰＭが構成され、遊技球の入賞に応じて賞球を球皿に払い出す遊技を、画像表示装置による演出画像の表示を伴いながら行う。裏セット盤３０に、タンク部材４１、賞球払出装置４５、および画像表示装置７５が取り付けられ、裏セット盤が遊技盤を裏面側から覆って取り付けられた状態で、画像表示装置の表示画面が表示用開口と裏面側から対向する。【選択図】図４
2007267814.tif 000002
【特許請求の範囲】
【請求項１】
前面に入賞装置を含む遊技構成部材が設けられて遊技領域が形成された遊技盤と、
前記遊技領域を前面に向けて前記遊技盤を立設状態で保持する枠体と、
前記枠体の前面側下部に設けられて前記遊技領域内に遊技球を発射する発射装置と、
前記枠体の前面側下部に設けられて遊技球を貯留する球皿と、
前記枠体に立設保持された状態の前記遊技盤を裏面側から覆って前記枠体に取り付けられた裏セット盤と、
前記遊技盤の前記遊技領域内に形成された表示用開口を通して前面側に向けて遊技の進行に応じた演出画像を表示させる表示装置とを備えて構成され、
前記発射装置から前記遊技領域内に発射された遊技球が前記入賞装置に入賞したことに応じて賞球としての遊技球を前記球皿に払い出す遊技を、前記表示装置による演出画像の表示を伴いながら行う弾球遊技機において、
前記裏セット盤に、遊技球を貯留するタンク部材、タンク部材に貯留された遊技球を前記入賞装置への入賞に応じて賞球として前記球皿に払い出す賞球払出装置、および前記表示装置が取り付けられ、
前記裏セット盤が前記遊技盤を裏面側から覆って前記枠体に取り付けられた状態で、前記表示装置の表示画面が前記表示用開口と裏面側から対向して位置することを特徴とする弾球遊技機。
【請求項２】
前記表示装置による演出画像の表示制御を行う画像制御装置が前記遊技盤の裏面に取り付けられていることを特徴とする請求項１に記載の弾球遊技機。
【発明の詳細な説明】
【技術分野】
【０００１】
本発明は、パチンコ機に代表される弾球遊技機に関し、さらに詳しくは、遊技盤の遊技領域内に設けた表示用開口を通して遊技の進行に応じた演出画像を表示させる表示装置を有した弾球遊技機に関する。
【背景技術】
【０００２】
パチンコ機は古くから種々の形式のものが知られているが、近年、遊技盤前面の遊技領域のほぼ中央部に表示用開口を設け、遊技盤の裏面側に取り付けた液晶ユニット等からなる表示装置の表示画面をこの開口に対向させて設け、表示画面の演出表示を、表示用開口を通して遊技者に提示するようにした構成のものが広く採用されている（例えば、特許文献１参照）。この構成のパチンコ機においては、発射装置から遊技領域内に発射された遊技球が遊技領域内に設けられた入賞装置（遊技構成部材）に入賞したことに応じて賞球としての遊技球を球皿に払い出す遊技を、表示装置による演出画像の表示を伴いながら行うようになっている。なお最近においては、表示画面の大きな液晶ユニットを用いて演出画像表示をより見やすくするとともに多様化した演出を行って、遊技性を向上させることも行われるようになっている。
【０００３】
【特許文献１】特開２００３−１７５２３３号公報
【発明の開示】
【発明が解決しようとする課題】
【０００４】
ところで、このようなパチンコ機において、コスト上の理由等から、遊技盤のみを交換して遊技機の構成および遊技内容を変更することが一般的に行われている。このような遊技盤の交換を行うときに、表示装置は遊技盤の裏面に取り付けられているため、液晶表示ユニットからなり高価な表示装置およびその表示制御装置（制御基盤等）も一緒に交換する必要があり、交換コストが高くなるという問題があった。なお、遊技盤の交換に際して表示装置および表示制御装置を取り外して再使用することも可能ではあるが、そのためには新たな遊技盤は再使用する表示装置と取り付け互換性を保つ必要があり、表示装置を大きくするなど、サイズおよび外形の異なる表示装置に交換することが難しいという問題や、新たに取り付けられる遊技盤に対応する表示演出を行うように表示制御装置（少なくとも、その表示制御内容）を変更する必要があるという問題もある。
【０００５】
本発明はこのような問題に鑑み、遊技盤の交換に際して表示装置の交換を不要とし、且つ、表示装置を交換することなくサイズの異なる表示用開口を有した遊技盤に交換することが可能となるような構成の弾球遊技機を提供することを目的とする。
【課題を解決するための手段】
【０００６】
本発明に係る弾球遊技機は、前面に入賞装置を含む遊技構成部材が設けられて遊技領域が形成された遊技盤と、前記遊技領域を前面に向けて前記遊技盤を立設状態で保持する枠体と、前記枠体の前面側下部に設けられて前記遊技領域内に遊技球を発射する発射装置と、前記枠体の前面側下部に設けられて遊技球を貯留する球皿と、前記枠体に立設保持された状態の前記遊技盤を裏面側から覆って前記枠体に取り付けられた裏セット盤と、前記遊技盤の前記遊技領域内に形成された表示用開口を通して前面側に向けて遊技の進行に応じた演出画像を表示させる表示装置とを備えて構成され、前記発射装置から前記遊技領域内に発射された遊技球が前記入賞装置に入賞したことに応じて賞球としての遊技球を前記球皿に払い出す遊技を、前記表示装置による演出画像の表示を伴いながら行うようになっている。そして、前記裏セット盤に、遊技球を貯留するタンク部材、タンク部材に貯留された遊技球を前記入賞装置への入賞に応じて賞球として前記球皿に払い出す賞球払出装置、および前記表示装置が取り付けられ、前記裏セット盤が前記遊技盤を裏面側から覆って前記枠体に取り付けられた状態で、前記表示装置の表示画面が前記表示用開口と裏面側から対向して位置するように構成されている。
【０００７】
なお、前記表示装置による演出画像の表示制御を行う画像制御装置が前記遊技盤の裏面に取り付けられているのが好ましい。
【発明の効果】
【０００８】
上記のように構成された本発明に係る弾球遊技機によれば、遊技盤を裏面側から覆って枠体に取り付けられた裏セット盤に、タンク部材および賞球払出装置に加えて表示装置が取り付けられているので、遊技盤の交換に際して表示装置の交換は不要であり、コスト低減を図ることができる。さらに、裏セット盤が遊技盤を裏面側から覆って枠体に閉止状態で取り付けられた状態で、表示装置の表示画面が表示用開口と裏面側から対向して位置するので、従来の弾球遊技機と同様にこの表示画面において遊技領域内の表示用開口を通して遊技の進行に応じた演出表示を行うことができる。また、裏セット盤に設けることで表示装置を遊技盤から後方に離れた位置に配置することが容易となり、表示装置の配置位置設定の自由度が高くなる。さらに、表示用開口から後方に広がる内部空間を広くすることができ、この内部空間内に遊技構成部材を配設して遊技空間として用いる場合、遊技構成部材の配置自由度が高く、且つ比較的複雑もしくは大型の遊技構成部材を配置することができる。
【０００９】
なお、表示装置による演出画像の表示制御を行う画像制御装置を遊技盤の裏面に取り付け、その遊技盤の表示用開口の形状およびサイズに合わせて表示装置の表示画面での演出表示を行うように制御する構成とするのが好ましい。例えば、表示用開口の異なる遊技盤に交換する場合、両者の表示用開口を全てカバーできるだけの大きさの表示画面を有した表示装置を裏セット盤に設けておけば、各遊技盤に取り付けられた画像制御装置は表示装置の表示画面におけるその遊技盤の表示用開口に対向する画面領域において演出表示を行うように表示制御内容を設定しておくことにより、表示装置は交換することなく、遊技盤を交換し、且つ交換された遊技盤の表示用開口に合った演出画像の表示を行わせることができる。
【００１０】
すなわち、小さな表示用開口を有した遊技盤の場合には、この遊技盤に取り付けられた画像制御装置は、表示装置の表示画面がこれより大きくても、この小さな表示用開口に対向する画面領域担いにおいて演出表示を行わせる表示制御内容に設定しておけば良い。これにより、種々の遊技盤に交換する場合でも、これら全ての種類の遊技盤の表示用開口をカバーする大きさの表示画面を有した表示装置を裏セット盤に設けておけば、これら全ての遊技盤のいずれを用いる場合でも一種類の表示装置のみで対応でき、表示装置の量産効果が出て表示装置のコスト低減を図ることができる。
【発明を実施するための最良の形態】
【００１１】
第１実施形態
以下、図面を参照して本発明の好ましい実施形態について説明する。本発明の第１の実施形態に係る弾球遊技機としてのパチンコ機ＰＭを図１〜図４に示しており、これらの図を参照して第１の実施形態に係るパチンコ機ＰＭの構成について説明する。ここで、図１はパチンコ機ＰＭの正面図であり、図２はパチンコ機ＰＭの背面図であり、図３は裏セット盤を取り外した状態の前枠の背面図であり、図４は図１の矢印ＩＶ−ＩＶに沿ったパチンコ機ＰＭの部分断面図である。
【００１２】
パチンコ機ＰＭは、外郭方形枠サイズに構成されて縦向きの固定保持枠をなす外枠１の開口前面に、これに合わせた方形枠サイズに構成されて開閉搭載枠をなす前枠２が互いの左側縁部に配設された上下のヒンジ機構３ａ，３ｂにより横開き開閉および着脱が可能に取り付けられ、常には右側縁部に設けられた施錠装置４を利用して外枠１に閉鎖施錠された状態で保持される。
【００１３】
前枠２の正面側には、この前枠２の前面域に合わせた方形形状をなして中央部に取り付けられたポリカーボネート板やガラス板等の透明板５ａを通して遊技盤２０を透視可能なガラス扉５、および、球皿に貯留された遊技球を整列させて１個ずつ打球発射装置９に導く上球皿６が、それぞれ左側縁部に内蔵されたヒンジ機構により横開き開閉および着脱が可能に組み付けられ、ガラス扉５は施錠装置４により、上球皿６は図示省略するロック機構を利用して前枠２の前面を覆う閉止状態で保持されている。前枠２の下部には遊技球を貯留する下球皿７が設けられ、この下球皿７と並んで遊技球の発射操作を行う操作ハンドル８が取り付けられている。また、前枠２の裏面側にはスピーカー１７が取り付けられている。
【００１４】
ガラス扉５の背後に位置する前枠２の裏面上部には、方形枠状の収容枠１１（図３参照）が前枠２と一体に成形されており、この収容枠１１に矩形板状の遊技盤２０が複数の係合レバー１４により着脱交換可能にセット保持される（なお、図３では係合レバー１４の表示を省略している）。収容枠１１は、遊技盤２０をセット保持したときにこの遊技盤２０の前面が閉鎖状態にあるガラス扉５の透明板５ａと所定間隔をおいて対向するように構成されており、遊技盤２０の前面と透明板５ａとの間に遊技球が落下移動する遊技空間５５，５６が形成される。収容枠１１の後縁部には、裏セット盤３０をそれぞれ横開き開閉並びに着脱可能に支持する固定ヒンジ部材１２，１３が上下に所定間隔をおいてねじ固定されている。
【００１５】
遊技盤２０は、板厚１９ｍｍ程度の積層合板を所定形状に切断およびルーター加工して、その表面に所定意匠のセルを貼り付けた化粧板（ベニヤとも称される）２１を基板として構成される。化粧板２１の前面側には、帯状の外レール２４ａおよび内レール２４ｂからなる案内レール２４が円弧状に固設され、これらの案内レール２４で囲まれた内側に遊技領域ＰＡが区画形成される。
【００１６】
遊技領域ＰＡには、多数本の遊技釘とともにランプ風車２５、一般入賞具２６ａや始動具２６ｂおよび大入賞口を備えたアタッカー２６ｃ等といった種々の遊技構成部材が設けられている。また、遊技盤２０を貫通して第１表示用開口２２ａ、第２表示用開口２２ｂ、第３表示用開口２２ｃが形成され、ここに第１飾り枠６１、第２飾り枠６２、キャップ６３、上および下飾り枠６６ａ，６６ｂが設けられている（図４参照）がこの構成については後述する。
【００１７】
遊技領域ＰＡの下端には入賞具２６ａ，２６ｂ，２６ｃに入賞せずに落下した遊技球（「アウト球」という）を遊技盤２０の裏面側に排出させるアウト口２７ａが設けられている。入賞具２６ａ，２６ｂ，２６ｃに落入（入賞）した遊技球（「セーフ球」という）は、各入賞具に設けられた入賞口スイッチおよび始動口スイッチにより検出され、化粧板２１を貫通するセーフ球通路を通って遊技盤２０の裏面側に排出される。また、アウト口２７ａに集められたアウト球は化粧板２１を貫通するアウト球通路孔２７を通って遊技盤２０の裏面側に排出される。
【００１８】
遊技盤２０（化粧板２１）の裏面側には、この遊技盤２０の裏面側に排出されたセーフ球を下方へ流下させるための球寄カバー５０が取り付けられている（図３参照）。球寄カバー５０は、遊技盤２０の裏面側中央部に位置する上部球寄カバー５２とこの上部球寄カバー５２の下方に隣接する下部球寄カバー５１とから構成され、上部球寄カバー５２および下部球寄カバー５１の内部には、セーフ球を下部球寄カバー５１の下方へ排出させるためのセーフ球流下経路が形成される。
【００１９】
上部球寄せカバー５２の後面上には、後述するように裏セット盤３０に取り付けられた画像表示装置７５の画像表示制御を行う画像処理基板（画像制御装置）７２が取り付けられている。この画像処理基板７２は、上部球寄せカバー５２を貫通して化粧板２１の裏面に直接取り付けても良い。なお、上部球寄せカバー５２の中央の貫通孔５２ａを貫通して表示開口枠６０が化粧板２１の裏面に直接取り付けられているが、この構成については後述する。下部球寄カバー５１には、各入賞口スイッチからの検出信号や遊技盤２０に取り付けられた各種ソレノイドへの駆動信号の中継を行うスイッチ・ソレノイド中継基板７３が取り付けられている。
【００２０】
前枠２の裏面下部には、発射ハンドル８の操作に応じて遊技球を外レール２４ａに向けて発射する打球発射装置９が取り付けられる。前枠２におけるこの打球発射装置９と収容枠１１との間の上下中間領域には、遊技補助盤１５と称される補助機構部が形成され、その前面側に打球発射装置９によって打ち出された遊技球を外レール２４ａに向けて案内する発射レールや、遊技領域ＰＡに到達できずに打球発射装置９側に戻ってきたファール球を下球皿７に排出させるファール球回収部材、遊技の展開状況に応じた効果音を発生させるスピーカー等が取り付けられている。遊技補助盤１５は上球皿６の背後に位置しており、常には閉鎖保持される上球皿６によりその前面側が覆われている。
【００２１】
前枠２の裏面を覆って、裏セット盤（裏機構盤とも称される）３０が図２に示すように取り付けられる。裏セット盤３０は、外枠１の内寸サイズよりも幾分小さめの方形形状に形成されており、中央に液晶ユニットからなる画像表示装置７５が取り付けられた基枠体３１をベースとして構成される。基枠体３１の側縁部には上下に所定間隔をおいて裏セット盤揺動ヒンジ部材３２，３３が固定されており、この上下の裏セット盤揺動ヒンジ部材３２，３３を収容枠１１側の上下の固定ヒンジ部材１２，１３に係合させて揺動させ、あるいは、係脱させることで、裏セット盤３０が前枠２の裏面側に横開き開閉および着脱可能に装備され、３箇所の閉鎖レバー３４を利用して前枠２の背面を覆うように閉鎖保持される。
【００２２】
裏セット盤３０には、賞球を払い出すための賞球装置や遊技球の処理経路が設けられる。すなわち、基枠体３１の裏面側には、遊技球の貯留・供給を行うタンク部材４１、タンク部材４１から供給される遊技球を整列させて流下させる整列樋部材４２、整列樋部材４２から供給される遊技球を受けて待機保持させる賞球待機通路４３、賞球待機通路４３に待機された遊技球を所定の入賞条件等に基づいて払い出す賞球払出装置４５、賞球払出装置４５から払い出された遊技球を上下の球皿６，７に導く賞球払出経路４７等からなる賞球装置および賞球経路が設けられている。また、図示しないが、基枠体３１の前面側には、窓口の下方に位置して遊技盤２０の裏面側に排出されたアウト球およびセーフ球、球抜き機構によって賞球通路から排出された抜き球等を集合させる集合通路が形成され、基枠体３１の裏面側にはこの集合通路と繋がって集合された遊技球を遊技施設側の回収バケットに排出させる球排出経路が形成されている。
【００２３】
裏セット盤３０の裏面各部には、パチンコ機ＰＭの作動を統括的に制御する主制御基板８１や、この主制御基板８１からの指令信号に基づいて賞球払出装置４５の作動制御を行う賞球制御基板８３、打球発射装置９の作動制御を行う発射制御基板８４、照明効果および効果音の作動制御を行うサブ制御基板８５、これらの制御基板や各種電子機器等に電力を供給する電源基板８６、電源基板８６から供給される電力の中継を行う電源中継基板８７等の回路基板が着脱交換可能に取り付けられ、各回路基板や電子機器が図示しないワイヤーハーネス（電気配線）で接続されている。
【００２４】
次に、上述した表示開口枠６０について図４を参照して説明する。表示開口枠６０は、上述したように上部球寄せカバー５２に形成された貫通孔５２ａを通って遊技盤２０（化粧板２１）の裏面に取り付けられる。このため、遊技盤２０には前後に貫通して、大きな横長長方形状の第１表示用開口２２ａと、幅狭で上下高さが第１表示用開口２２ａとほぼ同一の第２および第３表示用開口２２ｂ，２２ｃとが形成されている。
【００２５】
表示開口枠６０は、矩形平板状の透明板からなる背面板６５と、背面板６５における中央部から前方に突出して第１表示用開口２２ａに嵌合する矩形枠形状に形成された第１飾り枠６１と、右側部から前方に突出して第２表示用開口２２ｂに嵌合する矩形枠形状に形成された第２飾り枠６２と、左側部から前方に突出して第３表示用開口２２ｃに嵌合する矩形枠形状に形成された第３飾り枠６３とを一体に有して構成される。この構成の表示開口枠６０は、第１飾り枠６１を第１表示用開口２２ａ内に嵌入させ、第２飾り枠６２を第２表示用開口２２ｂ内に嵌入させ、第３飾り枠６３を第３表示用開口２２ｃ内に嵌入させて、化粧板２１の裏面側に突出して取り付けられる。
【００２６】
このとき、第１飾り枠６１は化粧板２１の前面からさらに前方に突出してガラス扉５の透明板５ａと近接しており、その内部に上述の遊技空間５５と区画された第１内部空間５７が形成される。同様に、第２飾り枠６２は化粧板２１の前面からさらに前方に突出してガラス扉５の透明板５ａと近接しており、その内部に上述の遊技空間５５と区画された第２内部空間５８が形成される。また、第３飾り枠６３は化粧板２１の前面と同一位置まで突出して透明キャップ６４により覆われた第３内部空間５９を有している。透明キャップ６４は薄い板状であり、第３飾り枠６３の前面（透明キャップ６４の前面）は上述の遊技空間５５の一部となっている。なお、透明キャップ６４を設けずに、第３内部空間５９を遊技空間５５と連通させる構成でも良い。
【００２７】
裏セット盤３０が図２に示すように、遊技盤２０を裏面側から覆って取り付けられたときに、裏セット盤３０に取り付けられた画像表示装置７５の表示画面７６は、表示開口枠６０の背面板６５の裏面に周囲を囲んで取り付けられたクッション部材６８に当接して背面板６５に近接して位置するように構成されている。背面板６５は透明であるため、画像表示装置７５の表示画面７６に表示される演出画像を、遊技者が背面板６５を通して前方から見ることができる。但し、見えるのは遊技盤２０に貫通形成された第１〜第３表示用開口２２ａ〜２２ｃに対向する部分、すなわち、第１〜第３内部空間５７，５８，５９を介した部分である。
【００２８】
すなわち、背面板６５における第１〜第３内部空間５７，５８，５９を構成する部分（これらを第１〜第３底壁部６５ａ，６５ｂ，６５ｃと称する）および透明キャップ６４を介して表示画面７６の演出表示が見える。このため、画像表示装置７５の表示画面７６は第１〜第３底壁部６５ａ，６５ｂ，６５ｃに対向する第１〜第３表示領域７６ａ，７６ｂ，７６ｃを全てカバーする大きさを有している。そして、遊技盤２０の裏面に取り付けられた画像処理基板（画像制御装置）７２は、これら第１〜第３表示領域７６ａ，７６ｂ，７６ｃにおいて、演出表示を行わせるように画像表示制御を行うようになっている。すなわち、以上の構成のパチンコ機ＰＭにおいて、遊技者は、画像表示装置７５の表示画面７６における第１〜第３表示領域７６ａ，７６ｂ，７６ｃの表示のみが見えるので、画像処理基板７２はこの領域において演出表示制御を行うようになっている。
【００２９】
以上のように構成されたパチンコ機ＰＭは、ガラス扉５、上球皿６、裏セット盤３０等がそれぞれ閉鎖され、前枠２が外枠１に閉鎖施錠された状態で遊技に供される。遊技は上球皿６に遊技球を貯留させて操作ハンドル８を回動操作することにより開始され、上球皿６に貯留された遊技球が１球ずつ打球発射装置９に送られ操作ハンドル８の回動操作角度に応じた強度で遊技領域ＰＡに打ち出されてパチンコゲームが展開される。
【００３０】
遊技領域ＰＡ内に打ち出された遊技球は、上述の遊技構成部材（釘、風車、入賞具等）に当たりながら、遊技空間５５内を落下移動する。ここで第１および第２内部空間５７，５８は、第１および第２飾り枠６１，６２の前端部により遊技空間５５から区画されているが、第１および第２飾り枠６１，６２の間に上下に延びて遊技球が落下移動可能な空間５６が形成されており、この空間５６は遊技空間５５の一部を構成する。これにより、表示領域間にも遊技空間を形成でき、遊技球の落下移動できる遊技空間を画像表示装置７５の表示画面７６の前面側にまで拡大することができる。第３飾り枠６３は遊技盤２０の前面からは突出しないため、その前面（透明キャップ６４の前面）部も遊技空間５５を構成する。
【００３１】
なお、遊技領域ＰＡ内を落下移動する遊技球を第１および第２内部空間５７，５８内に導入する構成として、第１および第２内部空間５７，５８も遊技空間として利用しても良い。特に、第１内部空間５７は比較的奥行きの大きな広い空間であるため、この空間内に大型もしくは複雑な構成の遊技構成部材を配置することかでき、趣向を凝らした遊技空間を構成することができる。この場合において、画像表示装置７５は裏セット盤３０に取り付けられる構成であるため、従来のように遊技盤２０の裏面に取り付ける場合に比べて、画像表示装置７５を遊技盤２０から後方に離して配置することが容易であり、第１内部空間５７をより広い空間とすることができるため、この空間内に配設する遊技構成部材として大型、複雑な構成のものなど、多様なものを用いることができる。
【００３２】
なお、第２飾り枠６１を第３飾り枠６３のように遊技盤２０の前面まで延びる構成とし、その前面を遊技空間５５として用いるようにしても良い。逆に、第３飾り枠６３を透明板５ａの近くまで延ばした構成としても良い。
【００３３】
第２実施形態
次に、図５および図６を参照して本発明の第２の実施形態に係るパチンコ機ＰＭ′について説明する。図５はこのパチンコ機ＰＭ′の正面図、図６は図５の矢印ＶＩ−ＶＩに沿った部分断面図であるが、このパチンコ機ＰＭ′の背面形状については、図２および図３と同一であるので、これらの図をもって代用する。なお、このパチンコ機ＰＭ′において、図１〜図４に示した第１の実施形態に係るパチンコ機ＰＭと同一部分については同一の符号を付し、その基本説明は省略し、以下においては相違する構成について説明する。
【００３４】
このパチンコ機ＰＭ′においては、遊技盤２０（化粧板２１）に比較的大きなサイズの矩形状の表示用開口１２２が一つ形成されているだけであり、この表示用開口１２２内に遊技盤２０の裏面側から表示開口枠１６０が取り付けられており、さらに、遊技盤２０の前面の遊技領域ＰＡ内において表示開口枠１６０の上下に上および下飾り枠１６６ａ，１６６ｂが取り付けられているという構成のみが、第１実施例のパチンコ機ＰＭと相違するがその他の構成は同一である。
【００３５】
表示開口枠１６０は、矩形平板状の透明板からなる背面板１６５と、背面板６５における周囲部から前方に突出して表示用開口１２２に嵌合する矩形枠形状に形成された飾り枠１６１とを一体に有して構成される。この構成の表示開口枠１６０は、飾り枠１６１を表示用開口１２２内に嵌入させるとともに化粧板２１の裏面側に突出して取り付けられる。この飾り枠１６１は化粧板２１の前面からさらに前方に突出してガラス扉５の透明板５ａと近接しており、その内部に遊技空間５５と区画された内部空間１５７が形成される。
【００３６】
裏セット盤３０が図２に示すように、遊技盤２０を裏面側から覆って取り付けられたときに、裏セット盤３０に取り付けられた画像表示装置７５の表示画面７６は、表示開口枠１６０の背面板１６５の裏面に周囲を囲んで取り付けられたクッション部材１６８に当接して背面板１６５に近接して位置するように構成されている。背面板１６５は透明であるため、画像表示装置７５の表示画面７６に表示される演出画像を、遊技者が背面板１６５を通して前方から見ることができる。具体的には、画像表示装置７５の表示画面７６において、クッション部材１６８により囲まれた表示領域７６ｄの表示が見えるので、画像処理基板７２はこの領域において演出表示制御を行うようになっている。
【００３７】
この構成のパチンコ機ＰＭ′においても、遊技領域ＰＡ内を落下移動する遊技球を内部空間１５７内に導入する構成として、この内部空間１５７も遊技空間として利用しても良い。特に、内部画像表示装置７５は裏セット盤３０に取り付けられる構成であるため、画像表示装置７５を遊技盤２０から後方に離して配置することが容易であり、内部空間１５７をより広い空間とすることができ、この空間内に配設する遊技構成部材として大型、複雑な構成のものなど、多様なものを用いることができる。
【００３８】
以上説明した、第１および第２実施例に係るパチンコ機ＰＭ，ＰＭ′においては、遊技盤に形成した表示用開口２２ａ〜２２ｃおよび１２２が相違し、これらに嵌合して取り付けられる表示開口枠６０，１６０が相違するが、裏セット盤３０に取り付けられる画像表示装置７５は同一のものが用いられる。このため、これらのパチンコ機においては、遊技盤２０の交換を行うときに画像表示装置７５はそのまま使用できるため、交換コストを低減することができる。
【００３９】
なお、各遊技盤毎に表示用開口が相違し、これら表示用開口を介して表示する画像表示装置７５の表示画面７６における表示領域および演出画像内容が相違するのが一般的であるが、各遊技盤に画像処理基板（画像制御装置）７２がそれぞれ設けられているため、各遊技盤の表示用開口に合った表示領域での演出表示を行わせるように画像処理基板７２の制御内容を設定しておけば良い。このため、画像処理基板７２は遊技盤２０に取り付けられており、遊技盤２０と一緒に交換される。
【図面の簡単な説明】
【００４０】
【図１】第１実施形態に係るパチンコ機の正面図である。
【図２】第１実施形態に係るパチンコ機の背面図である。
【図３】第１実施形態に係るパチンコ機を裏セット盤を取り外して示す背面図である。
【図４】第１実施形態に係るパチンコ機を、図１の矢印ＩＶ−ＩＶに沿って示す部分断面図である。
【図５】第２実施形態に係るパチンコ機の正面図である。
【図６】第２実施形態に係るパチンコ機を、図５の矢印ＶＩ−ＶＩに沿って示す部分断面図である。
【符号の説明】
【００４１】
１      外枠
２      前枠（枠体）
３ａ，３ｂ    ヒンジ機構
４      施錠装置
５      ガラス扉
５ａ    透明板
６，７  上および下球皿
８      操作ハンドル
９      打球発射装置
１１    収容枠（枠体）
１２，１３    固定ヒンジ部材
２０    遊技盤
２１    化粧板
２２ａ、２２ｂ、２２ｃ    第１〜第３表示用開口
２４，２４ａ，２４ｂ    案内レール
２６ａ，２６ｂ，２６ｃ    入賞具（遊技構成部材）
２７    アウト球通路孔
３７ａ    アウト口
３０    裏セット盤
３１    基枠体
４１    タンク部材
４２    整列樋部材
４３    賞球待機通路
４５    賞球払出装置
５０，５１，５２    球寄せカバー
５５，５６    遊技空間
５７，５８，５９，１５７    内部空間
６０，１６０    表示開口枠
６１，６２，６３，１６１    飾り枠
６４    透明キャップ
６５，１６５    背面板
６８    クッション部材
７２    画像処理基板（画像制御装置）
７５    画像表示装置
７６    表示画面
８１    主制御基板
８３    賞球制御基板
８４    発射制御基板
８５    サブ制御基板
８６    電源制御基板
８７    電源中継基板
【図１】
2007267814.tif 000003
【図２】
2007267814.tif 000004
【図３】
2007267814.tif 000005
【図４】
2007267814.tif 000006
【図５】
2007267814.tif 000007
【図６】
2007267814.tif 000008